(57)【要約】      （修正有）【課題】グラインダーによる切削や、研磨作業において発生する、削り粉等の粉塵が、直接目に飛び込むのを防止する粉塵侵入防護具を提供する。【解決手段】粉塵侵入防護具を、メガネ１に装着した状態が、粉塵侵入防護メガネ１０である。この粉塵侵入防護具は、通気性のある材料で、且レンズの外周円方向に伸縮可能になっており、若干の大小のあるレンズに対応させることが出来る。また、粉塵防護具は、メガネ１のリム２と、ブリッジ３とテンプル７で固定され、使用時の安定を図っている。更に粉塵侵入防護具の長さは、リム２から後方に向けて、レンズ９Ａの周面上の、すべての位置においても、顔面肌に届くようになっており、メガネ１と、顔面肌との間には、隙間を作らないようになっていることから、微細な粉塵や花粉の侵入を防止することが出来る。【選択図】図−５
2010057880.tif 000002
【特許請求の範囲】
【請求項１】
メガネを架けた状態において、レンズ、あるいは、レンズを固定しているフレームの外周円の端部から発し、その後方に位置する、顔面肌に向けて、後端部が密着するように、通気性のある被膜材を架け渡し、メガネの背面と、顔面肌との間に、外気とは隔離された空気溜まりを作って、外気に含まれている、微細な粉塵や、花粉の侵入を防ぐことを特徴とする、粉塵侵入防護具。
【発明の詳細な説明】
【技術分野】
【０００１】  本発明は、目の中に、粉塵や花粉が入るのを防止する装置に関するものである。
【背景技術】
【０００２】  従来、粉塵が目に入るのを防止する方法として、普段メガネを掛けない人は、図−５に示す、左右二枚のレンズ（９Ａ）、（９Ｂ）を除く、メガネ（１）の枠を構成する、フレーム（１１）は、リム（２）と、リム（２）の双方を連結するブリッジ（３）と、メガネ（１）のフロント部（１０）を支持するリム（２）に取り付けられた智（６）と、テンプル（７）とを繋ぐために取り付けられた屈折可能にするためのヒンジ（９）と、テンプル（７）の先に繋がる耳への固定をするモダン（８）とからなり、更にフロント部（１０）を支えるため、リム（２）に取り付けられたクリングス（４）と、クリングス（４）の先に取り付けられたパット（５）から構成されるメガネ（１）を用いることがある。このメガネ（１）を用いることによって、粉塵が発生する事例として、グラインダーを使用して物を削る作業において、飛散した粉塵が直接目に飛び込むのを防止する他に、空中に飛散している花粉や埃が直接目に入らないように、目の前面に位置する、レンズ（９）によって、壁面を設ける方法をとっている。【０００３】  また、図−５のメガネ（１）の二枚のレンズ（９）に比べて、図ー３に示すメガネ（３１）は、図−５に示すレンズ（９）よりも縦方向に長さを増し、しかもレンズ（３２）を一枚物にして、レンズの面積を広くして、粉塵が直接目に入り難くしたものが提供されている。【０００４】  一方、図−４に示すように、一枚物のレンズ（２４）と、レンズ（２４）の外周を包み込むように、レンズ（２４）から方に向けて幅広に取り付けられたリム（２１）と、フロント（２６）部を支持するモダンとテンプルを一体で製造されたテンプル（２２）と、テンプル（２２）を屈折可能にするために、リム（２１）とテンプル（２２）の間に取り付けられた、智（２５）と、ヒンジ（２６）とからなる、メガネ（２０）が提供されている。【０００５】  図−４に示すメガネ（２０）は、図−５に示すメガネ（１）に比べて粉塵が目に入るのを防止する効果をより大きくするために提供されたものであり、常時メガネを着用している人は、自身のメガネの上から着装することも可能である。
【発明の開示】
【発明が解決しようとする課題】
【０００６】  図−５に示す、メガネ（１）は、レンズ（９）とフレーム（１１）とからなる一般的なメガネであるが、このメガネ（１）は、グラインダーによる切削や研磨作業において発生する、削り粉等の粉塵が、直接目に飛び込むのは防止することが出来るが、レンズ（９）と顔面との間には相当の空間があるために、レンズ（９）の外周から回り込んだ粉塵は目に入り易い。また花粉を含む大気中の粉塵も同様に、レンズ（９）の外周から回り込むので、目に入りやすい。【０００７】  また、図−３に示すメガネ（３１）のレンズ（３２）は一枚物であり、図−５に示すメガネ（１）の二枚のレンズ（９Ａ）、（９Ｂ）に比べて、レンズの面積を大きくし、更に顔面への密着度も高めているが、それでもレンズ（３２）と顔面肌との間に隙間があるために空中に飛散している粉塵や花粉が目に侵入しやすい。【０００８】  また、図−４に示すメガネ（２０）のレンズ（２４）は、材質がポリカーボネイト樹脂の硬いもので出来ており、メガネ（２０）を構成する、フレーム（２７）もレンズ（２４）と同様に、ポリカーボネイト樹脂で出来ているので、レンズ（２４）とフレーム（２７）とがパーツとして別々に構成されているものや、レンズ（２４）とフレーム（２７）とが一体で出来ているものも含めて、メガネ（２０）を着想したときに、フレーム（２７）を構成する、リム（２１）は硬性のために、メガネ（２０）を着想する人の顔、形の凹凸やその大きさ等に個人差があることから、リム（２１）の顔面側の外周面との間には、若干の隙間が発生する他に、フレーム（２１）を構成する、テンプル（２２）の内側と、顔の側面肌との間に隙間が出来るので、空中に飛散している粉塵や、花粉は、フレーム（２７）と顔面肌との間の空隙を通って、目に入り込むことになる。【０００９】  図−６に示すメガネ（４０）のレンズ（４４）の材質は、ポリカーボネイト樹脂の、硬度の硬いもので出来ており、メガネ（４０）の枠を構成する、フレーム（４７）のリム（４１）は、軟質塩化ビニールで出来ている。リム（４１）と、テンプル（４２）を繋ぐ、智（４５）も共に軟質塩化ビニールで出来ており、メガネ（４０）を装着したときに、リム（４１）の顔面側の先端の周面が、顔面の肌に密着するようになっており、リム（４１）が軟質塩化ビニールで出来ていることから、メガネ（４０）を装着したときは、リム（４１）と、顔面肌との間には隙間はないが、智（４５）や、テンプル（４２）と顔面の側面肌との間には若干の隙間があるために、空中に飛散している粉塵や、大気中に飛散している花粉の粒子は風などにより、その隙間から、レンズ（４４）の背面に入り込み、やがては粉塵や花粉が目の中に入り込むことになる。【００１０】  図−７に示す、メガネ（５０）において、レンズ（５１）は材質がポリカーボネイト樹脂の硬いものでできており、フレーム（５２）を構成する、リム（５３）、テンプル（５４）、モダン（５５）は、一体物で製作されており、その材質は、軟質塩化ビニールの軟らかいもので出来ている。このメガネ（５０）を装着すると、リム（５３）の顔面側の端部周面が顔面肌に密着し、更にテンプル（（５４）が幅広になっている外に、顔面の側面の肌に密着されるよ��に成っているので、空中に飛散している粉塵や、大気中に浮遊している花粉等が目に入ることが無い。しかしメガネ（５０）と顔面肌との空間に出来た空気溜まりは外気の流通がないので、長時間連続してメガネ（５０）を着装していると、メガネ（５０）が顔面肌に密着しているので、顔面肌に圧迫痕が出来て、肌に違和感が発生するほか、目に供給される酸素が不足するため、眼球に悪い影響がでる。このことから、図−７に示すように、メガネ（５０）のリム（５３）の両端上部や、両端下部に、空気穴（５６）を設けることによって、メガネ（５０）と顔面肌との間に出来た空間の空気と、外気との流通が可能になる。しかしメガネ（５０）に設けられた空気穴（５６）の直径は、二〜三ミリメートル前後で多数個開けられており、大気中に浮遊する花粉の直径が、五十分の一ミリメートルに比べると、遥かに大きいため、大気中に浮遊している微細な粉塵や、風によって運ばれる花粉の侵入を防ぐことは困難になる。また、テンプル（５４）の側面に空気穴の溝（５７）を設けたメガネがあり、これも、リム（５３）に設けられた空気穴（５６）と同じく、大気中に浮遊する微細な粉塵や、花粉の侵入を防止することは困難になる。
【課題を解決するための手段】
【００１１】  本発明は、上記従来の課題を解決するための手段として、図−２に示すとおり、図−５に示すメガネ（１）に、図−１に示す、粉塵侵入防具（７０）を取り付けて、微細な粉塵や花粉が目にはいるのを防止する。【００１２】  普段メガネを着装しない人は、（度）の入っていない図−５に示すメガネ（１）に、図−１に示す粉塵侵入防具（７０）を取り付けて、常時着装し、普段からメガネを着装している人は、図−５に示す（度）入りの自分のメガネ（１）に、図−１に示す粉塵侵入防具（７０）を取り付けて、粉塵や花粉が目に入るのを防止する。【００１３】  従って、（度）入りの自分のメガネを掛けている人は、図−４、図−６、図−７に示す、粉塵侵入防止メガネを重ねて装着をする必要はなく、軽装になる。【００１４】  そこで、図−１に示す粉塵侵入防具（７０）は一体物で出来ており、その素材は、通気性があるほかに、柔軟性もあり、大気中の微細な粉塵を含んだ空気中の花粉や粉塵を濾過し、新鮮な空気のみを取り込んで、微細粒子の進入を防止することが出来、顔面肌に軽く馴染み、肌触りの良いものになっている。【００１５】  また、図−１に示す、粉塵侵入防具（７０）の形状は、図−５に示すメガネ（１）のリム（２）に取り付く部分の、粉塵侵入防具（７０）のリング（７１）のフロント（７３）側の周面は、伸縮可能な構造になっており、若干レンズの大きさの違いにも対応が可能で、メガネ（１）に示すリム（２）に密着して取り付いており、一方粉塵侵入防具（７０）のリング（７１）の顔面側（７４）の周面も、伸縮可能な構造になっており、人によって相違する、骨格の違いや、顔面の凹凸に馴染みやすくして、密閉度を高めている。
【発明の効果】
【００１６】  従来は、粉塵が目に入らないようにする手段として、普段メガネを着装しない人は、図−５に示す、レンズ（９）とフレーム（１１）とからなる、一般的なメガネ（１）を用いる。この場合、メガネ（１）のフロント（１０）の背面と、目の回りの顔面肌との間、並びに、テンプル（７）と、顔部側面肌との間には、空間が大きく開いており、大気中の粉塵を含んだ空気が直接目に入ることが出来るために、大小さまざまな粉塵が目に入り、目を傷める原因になる。そこで図−５に示すメガネ（１）に、図−１に示す、粉塵侵入防具（７０）を取り付けることによって、粉塵や花粉を含んだ大気を濾過し、新鮮な空気のみを目の周りに取り込むことが出来るので、目を傷めることが無い。【００１７】  また、普段から（度）の入ったメガネを着用している人は、粉塵の侵入を防止する方法として、粉塵の発生する作業時間帯に限って、自分のメガネの上から、図−４に示す粉塵防護メガネ（２０）や、図−６に示す粉塵防護メガネ（４０）並びに、図−７に示す粉塵防護メガネ（５０）を着装することになるが、装備が重装備になる他に、人には、顔面の骨格や、凹凸の違いがある為に、各々の防護メガネのフレームと、顔面肌との間には、自ずと隙間の発生は避けられないため、目の周辺には、微細な粉塵や、花粉が舞い込むことになり、粉塵や、花粉が目に入り込むことを防止する効果は少ない。【００１８】  また、普段から（度）の入ったメガネを着用している人は、花粉の侵入を防止するためには、図−４や、図−６並びに図−７に示す粉塵防護メガネを常時着装する必要があり、長時間の着用が必然的となるため、重装備に耐えられなくなるほかに、人には、顔面の骨格や凹凸の違いがある為に、各々の防護メガネのフレームと、顔面肌との間には、自ずと隙間の発生は避けられないため、目の周辺には、微細な花粉や粉塵が舞い込むことになり、花粉や、粉塵が目に入り込むことを防止する効果は少ない。【００１９】  以下、本発明の実施例を示す。
【実施例１】
【００２０】    本発明を図−１に示す実施例によって説明をする。
図−１に示す、粉塵侵入防護具（７０）を、図−５に示すメガネ（１）に取り付けた状態が、図−２に示す粉塵侵入防護メガネ（１０）である。【００２１】  図−１に示す、粉塵侵入防護具（７０）は、素材は布製で出来ており、且レンズ外側の円周方向に伸縮が可能な、ゴム編み状になっており、粉塵侵入防護具（７０）を取り付ける相手の、メガネのレンズの大小に対応することが出来る。【００２２】  また、図−１に示す、粉塵侵入防護具（７０）が、図−５に示すメガネ（１）の、レンズ（９Ａ）、（９Ｂ）を固定するフレーム（１１）に取り付く、図−１に示す、粉塵侵入防護具（７０）の前面部（７３）は、図−８の断面図に示すように、レンズ（８０）を固定するメガネのフレーム（８１）の厚みを含む全部を包み込むように、Ｕ型の溝（８２）が設けられており、粉塵侵入防護具（７０）の素材はゴム編み状になっているので、レンズ（８０）の外周から中心方向に向けて、レンズ（８０）を締め付ける力が働くので、図−１に示す粉塵侵入防具（７０）を、図−５に示すメガネ（５）に取り付けたときは、安定して取り付けることが出来る。なお、図−８に示す粉塵侵入防護具（７０）の前面部（７３）のＵ型部には、Ｕ型の金具、あるいは、Ｕ型のプラスチックを仕込むことによって、更に安定をした取り付けが出来る。【００２３】  また、図−１に示す粉塵侵入防護具（７０）は、左右のリング状のフード（７１）を繋ぐ、繋ぎ板（７２）を設けて、図−１に示す粉塵侵入防護具（７０）を図−５に示すメガネ（１）に取り付けた時の更なる安定性を高める。この繋ぎ板（７２）の素材は、布製で出来ており、更に伸縮が可能なように、ゴム編み状になっており、各々が使用するメガネフレームの大小の大きさに伸縮、対応させ、馴染むようにしている。【００２４】  また、図−１に示す、粉塵侵入防護具（７０）のフード（７１）の長さは、図−１に示す、粉塵侵入防護具（７０）を、図−５に示す、メガネ（１）に取り付けた状態を示す、図−２のメガネ（１０）において、メガネ（１０）のレンズ（１２）を固定するフレーム（１３）から後方に向けて、どの位置においても、顔面肌に届く長さとなっている。すなわち、図−５に示すメガネ（１）のレンズ（９Ａ）、（９Ｂ）双方を固定する、フレーム（１１）の、フロント（１０）の形状は、メガネ（１）を上から見て、ほぼ左右が直線状になっているのに対して、人の顔面は、上から見て、ほぼ円弧状になっているので、フレーム（１１）のフロント（１０）から顔面肌までの距離は、図−２に示すメガネ（１０）において、レンズ（１２）の外周の各々の位置から、後方に向けての、顔面肌までの距離はおのずと変化をしている。また図−５に示す、メガネ（１）のフレーム（１１）のフロント（１０）は、側面から見て、垂直面に対して、上方がやや前方に傾斜している。さらに、人それぞれ、顔面の凹凸の程度が異なるため、図−１に示す粉塵侵入防護具（７０）のフード（７１）の長さは、全体的にやや長くしており、粉塵侵入防護具（７０）の素材は布製であることから、フード（７１）の顔面側後端は、顔面肌に密着し、顔面に馴染む他、長時間の装着にも違和感が無く、花粉や、粉塵が目に入るのを防止できる。なお図−１に���す、粉塵侵入防具（７０）を、図−５に示すメガネ（１）に取り付けた状態の、図−２に示す、粉塵侵入防護メガネ（１０）において、図−１に示す、粉塵侵入防護具（７０）を図−５に示すメガネ（１）に取り付ける場合に、図−１に示す、フード（７１）の側面を、図−２に示すメガネ（１０）のテンプル（１５）に固定（１４）させ、更なる装備の安定を図る。【００２５】  なお、図−１に示す、粉塵侵入防護具（７０）の素材は、布製に限らず、毛筆のような毛の集合体でもよく、あるいは、通気性のある、ウレタン状のものでもよく、更に粉塵侵入防具（７０）の本体の前後やレンズの外周面で、布、あるいは毛の集合体あるいは通気性のある、ウレタン等、さまざまな材料を組み合わせて製作することが出来る、図−２に示すメガネ（１０）でも良い。【００２６】  更に、図−９の断面図に示すとおり、粉塵侵入防具（９０）のフロント部（９１）、いわゆるレンズ（９２）に取り付く近辺（９３）は、レンズ（９２）の外周長に、伸縮が可能な構造を持たせた、硬質のプラスチックや、金属等で出来ており、粉塵侵入防具（９０）の後方、いわゆる顔面側（９４）は、布、あるいは毛の集合体、あるいは、通気性のあるウレタン等が取り付いた複合体でもよい。
【実施例２】
【００２７】  第２の実施例として、図示しないが、普段メガネを着用しない人は、あえてメガネと、粉塵侵入防護具を、別々に着用する必要が無いために、図−１に示す、粉塵侵入防護具（７０）を、図−５に示す、（度）の入っていないメガネ（１）と一体で製造したものを提供する。
【実施例３】
【００２８】  第３の実施例として、図示しないが、図−６に示す、粉塵侵入防護メガネ（４０）のレンズ（４４）を除く、フレーム（４７）を構成する、リム（４１）、智（４５）、並びに、テンプル（４２）の部分に、図−１に示す、粉塵侵入防護具（７０）を取り付けることによって、普段メガネを着装している人は、自身のメガネの上から、粉塵侵入防護メガネを重ねて着装することが可能になり、また、普段メガネを着装しない人も、花粉や、微細な粉塵の侵入を完全に防止することが出来る。
【実施例４】
【００２９】  第４の実施例として、図示しないが、図−６に示す、粉塵防護メガネ（４０）のフレーム（４７）を構成する、リム（４１）並びに、智（４５）並びに、テンプル（４２）はポリカーボネイト樹脂の硬い材質で出来ているが、図−９に示すとおり、其の内、リム（４１）と、智（４５）、テンプル（４２）の、フロント部（９１）は、ポリカーボネイト樹脂で出来ており、後方の顔面肌側の部分（９４）は、布、あるいは、毛、あるいは通気性のある、ウレタン等を取り付けた、複合体の、粉塵侵入防護メガネを提供する。【００３０】  以上、本発明の実施の形態を、実施例により説明したが、本発明の範囲はこれに限定されるものではなく、請求項に記載された範囲内において、目的に応じて変更・変形することが可能である。
例えば、図−３に示すメガネ（３１）のレンズ（３２）は、レンズ部分にフレームを持たない、一枚物で製作されており、また、図−５に示すメガネ（１）においては、レンズ（９Ａ）、（９Ｂ）を固定するリム（２）が無いメガネもある。いずれの場合においても、各々のメガネに、粉塵侵入防護具を取り付ける要領は、実施例に記した通りの応用でよい。更に、図−１に示す、粉塵侵入防護具（７０）の繋ぎ板（７２）は、必ずしも必要としない。
【産業上の利用可能性】
【００３１】  本発明は、粉塵の発生をする作業環境から目を守る他、花粉による目の障害発生を事前に防止するために、産業上利用することができる。
【図面の簡単な説明】
【００３２】
【図−１】  粉塵侵入防護具斜視図
【図−２】  粉塵侵入防護具をメガネに取り付けた状態の斜視図
【図−３】  一枚物の大きなレンズを着装した状態の斜視図
【図−４】  飛散物が直接目に飛び込むのを防止する、防護メガネの斜視図
【図−５】  一般的なメガネの斜視図
【図−６】  飛散物が直接目に飛び込むのを防止する、防護メガネの斜視図
【図−７】  通気孔を設けた、保護メガネの斜視図
【図−８】  メガネに粉塵侵入防護具を取り付けた状態の、フロント部断面図
【図−９】  メガネに粉塵侵入防護具を取り付けた状態の、断面図
【符号の説明】
【００３３】９Ａ，９Ｂ，１２，２４，３２，４４，５１，８０，９２      レンズ
１１，１３，２７，４７，５２      フレーム
２，２１，４１，５３      リム
３，７２      ブリッジ
６，２５，４５      智
７，１５，２２，４２，５４      テンプル
９，２６      ヒンジ
８，５５      モダン
４      クリングス
５      パット
【図−１】
2010057880.tif 000003
【図−２】
2010057880.tif 000004
【図−３】
2010057880.tif 000005
【図−４】
2010057880.tif 000006
【図−５】
2010057880.tif 000007
【図−６】
2010057880.tif 000008
【図−７】
2010057880.tif 000009
【図−８】
2010057880.tif 000010
【図−９】
2010057880.tif 000011